(57)【要約】  クライアント機能を提供するように構成されたサーバは、オフサイト集中データセンター、およびオフサイト集中データセンターに格納することができるローカルクライアント機能コンポーネントを含むことができる。オフサイト集中データセンターは、格納された情報がクライアントにローカルであるように見えるように、ローカルクライアント機能コンポーネントをリモートでホストすることができる。サーバは、クライアントからローカルクライアント情報を受信することができるクライアントインタフェースをさらに含む。ローカルクライアント情報は、クライアントインタフェースによって受信される前にクライアントによって複製され、オフサイト集中データセンターによってリモートでホストされる。
2010512574.tif 000002
【特許請求の範囲】
【請求項１】
クライアント機能を提供するように構成されたサーバ（１００）であって、
オフサイト集中データセンター（１１０）と、
前記オフサイト集中データセンター（１１０）に格納されたローカルクライアント機能コンポーネント(１２０)であって、前記オフサイト集中データセンター(１１０)によってリモートでホストされるローカルクライアント機能コンポーネント(１２０)と
を含むことを特徴とするサーバ。
【請求項２】
ネットワーク(４３０)と通信する第１のクライアント(４４０)であって、前記ネットワーク(４３０)を介して前記オフサイト集中データセンター(４１０)と第１の関係を構築する第１のクライアント(４４０)と、
前記ネットワーク(４３０)と通信し、前記オフサイト集中データセンター(４１０)と第２の関係を構築する第２のクライアント(４５０)と
をさらに含み、
前記オフサイト集中データセンター(４１０)は、前記第１の関係が前記第２の関係と対応する場合、前記ローカルクライアント機能コンポーネント(４２０)を前記第２のクライアントインタフェース(４５０)と共有することを特徴とする請求項１に記載のサーバ。
【請求項３】
前記第１の関係および前記第２の関係は、共通の産業、共通のビジネス手法、および共通のセキュリティ認可のうちの少なくとも１つを含むことを特徴とする請求項２に記載のサーバ。
【請求項４】
前記オフサイト集中データセンター(４１０)においてリモートでホストされる前記ローカルクライアント機能コンポーネント(４２０)は、前記第１のクライアント (４４０)および前記第２のクライアント(４５０)に対してローカルであるように見えることを特徴とする請求項２に記載のサーバ。
【請求項５】
前記ローカルクライアント機能コンポーネント(１２０)は、データを含むことを特徴とする請求項１に記載のサーバ。
【請求項６】
前記データは、電子メッセージ、カレンダ、連絡先、ドキュメント、パスワード、ドメイン名、およびインスタントメッセージのうちの少なくとも１つを含むことを特徴とする請求項５に記載のサーバ。
【請求項７】
サーバ機能を提供するための方法であって、
オフサイト集中データセンター(３２０)において、複製ローカルクライアント情報を受信するステップと、
前記オフサイト集中データセンター(３２０)において、前記複製ローカルクライアント情報をホストするステップと
を含むことを特徴とする方法。
【請求項８】
ネットワーク(５００)と通信する第１のクライアントと、第１の関係を構築するステップ(５００)と、
前記ネットワークと通信する第２のクライアントと、第２の関係を構築するステップ(５１０)と、
前記第１の関係が前記第２の関係と一致する場合(５２０)、前記オフサイト集中データセンターにおいてリモートでホストされた前記複製ローカルクライアント情報を、前記第１のクライアントおよび前記第２のクライアントと共有するステップ(５３０)と
をさらに含むことを特徴とする請求項７に記載の方法。
【請求項９】
前記オフサイト集中データセンター(２１０)においてリモートでホストされた前記複製ローカルクライアント情報(２６５)は、前記第１のクライアントおよび前記第２のクライアントに対してローカルであるように見えることを特徴とする請求項８に記載の方法。
【請求項１０】
前記オフサイト集中データセンター(２１０)と通信する業務用ネットワーク(２４０)をさらに含み、前記業務用ネットワーク(２４０)は、クライアントサーバ（２５５）と通信するクライアント(２４５)を含むことを特徴とする請求項７に記載の方法。
【請求項１１】
前記クライアントサーバは、
前記クライアント(２４５)からローカルクライアント情報(２５０)を収集するように構成されたクライアント複製コンポーネント(２６０)であって、前記収集されたローカルクライアント情報(２５０)を使用して前記複製ローカルクライアント情報(２６５)を作成するクライアント複製コンポーネント(２６０)と、
前記クライアント複製コンポーネント(２６０)に、前記複製ローカルクライアント情報(２６５)を受信したかどうかを含むフィードバックを提供するように構成されたサーバ複製コンポーネント(２７０)と
を含むことを特徴とする請求項１０に記載の方法。
【請求項１２】
前記オフサイト集中データセンター(２１０)において前記複製ローカルクライアント情報(２６５)をアーカイブするステップをさらに含むことを特徴とする請求項７に記載の方法。
【請求項１３】
前記複製ローカルクライアント情報(２６５)は、電子メッセージ、カレンダ、連絡先、ドキュメント、パスワード、ドメイン名、およびインスタントメッセージのうちの少なくとも１つを含むことを特徴とする請求項１２に記載の方法。
【請求項１４】
クライアント機能を提供するように構成されたサーバ(２００)であって、
第１のクライアント(２４５)から複製ローカルクライアント情報(２６５)を受信するクライアントインタフェース(２２５)と、
前記クライアントインタフェース(２２５)と通信し、かつ前記複製ローカルクライアント情報(２６５)をリモートでホストするように構成されたオフサイト集中データセンター(２１０)であって、前記クライアントインタフェース(２２５)から前記複製ローカルクライアント情報(２６５)を受信するオフサイト集中データセンター(２１０)と
を含むことを特徴とするサーバ。
【請求項１５】
前記オフサイト集中データセンター(２１０)においてリモートでホストされる前記複製ローカルクライアント情報(２６５)は、前記第１のクライアント(２４５)に対してローカルであるように見えることを特徴とする請求項１４に記載のサーバ。
【請求項１６】
前記複製ローカルクライアント情報(２６５)は、前記第１のクライアント(２４５)に対するセキュリティリスクを減少させるように、ネットワーク(２３０)を介して前記オフサイト集中データセンター(２１０)にプッシュされることを特徴とする請求項１４に記載のサーバ。
【請求項１７】
前記第１のクライアント(２４５)と通信するクライアントサーバ(２５５)であって、前記第１のクライアント(２４５)からローカルクライアント情報(２５０)を収集するように構成され、前記収集されたローカルクライアント情報(２５０)を使用して前記複製ローカルクライアント情報(２６５)を生成するクライアント複製コンポーネント(２６０)を含む、当該クライアントサーバ(２５５)と、
前記クライアント複製コンポーネント(２６５)に、前記オフサイト集中データセンター(２１０)が前記複製ローカルクライアント情報を受信したかどうかを含むフィードバックを提供するように構成されたサーバ複製コンポーネント(２７０)と
をさらに含むことを特徴とする請求項１４記載のサーバ。
【請求項１８】
前記第１のクライアント(４４０)は、ネットワーク(４３０)を介して前記オフサイトデータセンター(４１０)と第１の関係を構築し、
前記ネットワーク(４３０)と通信する第２のクライアント(４５０)は、前記ネットワーク(４３０)を介して前記オフサイトデータセンター(４１０)と第２の関係を構築し、
前記オフサイト集中データセンター(４１０)は、前記第１の関係が前記第２の関係と対応する場合、前記複製ローカルクライアント情報(２６５)を前記第２のクライアント(４５０)と共有することを特徴とする請求項１４に記載のサーバシステム。
【請求項１９】
前記オフサイト集中データセンター(２１０)は、前記複製ローカルクライアント情報(２６５)をアーカイブすることを特徴とする請求項１４に記載のサーバ。
【請求項２０】
前記複製ローカルクライアント情報(２６５)は、電子メッセージ、カレンダ、連絡先、ドキュメント、パスワード、ドメイン名、およびインスタントメッセージのうちの少なくとも１つを含むことを特徴とする請求項１９に記載のサーバシステム。
【発明の詳細な説明】
【技術分野】
【０００１】
本発明は、クライアント機能を提供するオフサイト集中データセンターに関する。
【背景技術】
【０００２】
会社または企業内のコンピューティングリソースを接続するために、業務用サーバはネットワーク戦略に不可欠な部分である。典型的に、業務用サーバは、例えば、ハードウェア、ソフトウェア、およびドキュメントなどを含むリソースを、該業務用サーバに接続されたクライアントコンピュータが集中的にアクセスできるようにすることによって、これらのリソースを共有させる働きをする。また、業務用サーバは、典型的に、セキュリティを高める働きをする。リソースを共有するために、業務用サーバを、例えば電子メールの配信を管理する電子メール交換サーバおよびドキュメント共有アプリケーションなどのソフトウェアによって駆動することができる。ドキュメント共有アプリケーションは、例えば、サーバで動作する統合ソフトウェアアプリケーションなどを含み、サーバに接続されたクライアントコンピュータ間におけるドキュメントの編成および共有を提供する。業務用サーバは、ネットワーク戦略の不可欠な部分ではあるが、サーバは作動するのにマンパワーを必要とし、セキュリティ違反のリスクから会社または企業を完全には遮断していない。
【発明の概要】
【発明が解決しようとする課題】
【０００３】
一部の人件費を除去し、潜在的なセキュリティ違反を軽減するために、業務用サーバによって提供される機能の一部をオフサイトの位置に転送するサービスが利用可能である。例えば、一部の企業は、オフサイトの電子メールフィルタを使用して、自身の業務用ネットワークに対する潜在的なセキュリティ違反をスキャンする。また、一部の企業は、ウェブホスティングサービスを使用して、自身のウェブサイトをホストするかまたは、ドキュメントなどの情報を格納するためのオンラインシステムを提供する。企業が、電子メールまたはドキュメントにアクセスするために、オフサイトのメールフィルタを使用していても、ウェブホスティングサービスを使用していても、ユーザは、ウェブブラウザまたはクライアントアプリケーションを開き、ワールドワイドウェブを介して電子メールおよびドキュメントにアクセスするため、従業員に余分なステップを与え、潜在的に貴重な時間を奪い取ることになる。また、外部のウェブサイトを介して情報を共有するためには、外部のウェブサイトが、ユーザを識別し、かつその企業の格納された情報をサイト上で見るためのユーザ許可を与える方法を有することができるように、新しいユーザ名およびパスワードが必要なことがある。
【０００４】
さらに、一部の会社または企業は、サーバおよびネットワークニーズの全体を第三者ネットワークプロバイダにアウトソーシングすることがある。典型的に、これらのネットワークプロバイダは、企業ネットワークまたは会社ネットワークを設定し、企業ネットワークまたは会社ネットワークに必要とされるサーバを有し、ネットワークをサポートし、動作させるのに必要なマンパワーを提供する。ネットワーク全体をアウトソーシングするにより、典型的に業務用に有するサーバを維持するのに必要なマンパワーおよびサポートを軽減させることができるが、ネットワーク全体をアウトソーシングすることにより、共有リソースにサーバを介してアクセスするクライアントに対しては、速度および効率の低下をもたらすことがある。
【課題を解決するための手段】
【０００５】
一部の実施形態によれば、クライアントの機能を提供するように構成されたサーバは、オフサイト集中データセンター（ｏｆｆｓｉｔｅ  ｃｅｎｔｒａｌｉｚｅｄ  ｄａｔａ  ｃｅｎｔｅｒ）およびローカルクライアント機能コンポーネントを含む。オフサイト集中データセンターが、ローカルクライアント機能コンポーネントをリモートでホストするように、ローカルクライアント機能コンポーネントを、オフサイト集中データセンターに格納することができる。サーバはさらに、クライアントからローカルクライアント情報を受信するクライアントインタフェースを含むことができる。ローカルクライアント情報は、クライアントインタフェースによって受信される前に、クライアントによって複製されることが可能である。オフサイト集中データは、ローカルクライアント情報をクライアントインタフェースから受信することができる。
【０００６】
さらなる実施形態によれば、サーバ機能を提供するための方法は、オフサイト集中データセンターでローカルクライアント情報を受信するステップを含む。ローカルクライアント情報は、オフサイト集中データセンターで受信される前に、クライアントによって複製されることが可能である。該方法はさらに、オフサイト集中データセンターでローカルクライアント情報をホストするステップを含む。
【０００７】
この概要は、以下の発明を実施するための形態でさらに説明される、概念の選択を簡略化した形式で紹介するために提供されている。この概要は、特許請求される対象の重要な特徴または本質的特徴を特定することは意図されておらず、特許請求される対象の範囲を制限するように使用されることも意図されていない。
【図面の簡単な説明】
【０００８】
【図１】ローカルクライアント機能を提供するように構成されたサーバの例示的な実施形態を示す図である。
【図２】ローカルクライアント機能を提供するように構成されたサーバの別の例示的な実施形態を示す図である。
【図３】一実施形態にかかる、ローカルクライアント機能をリモートで提供する方法を示す例示的な実施形態のフロー図である。
【図４】１つまたは複数のクライアントと通信するオフサイト集中データセンターの例示的な実施形態を示す図である。
【図５】集中データセンターを介して多数のクライアントを仲介する方法を示す例示的な実施形態のフロー図である。
【図６】例示的な実施形態の態様を実装することができる例示的なコンピューティング環境を示す図である。
【発明を実施するための形態】
【０００９】
図１は、ローカルクライアント機能を提供するように構成されたサーバ１００の例示的な実施形態を示す。サーバ１００は、リソースをリモートで共有する能力をクライアントに提供するコンピュータを含むことができる。サーバ１００はさらに、オフサイト集中データセンター１１０を含むことができる。オフサイト集中データセンター１１０は、例えば、その中に格納されるローカルクライアント機能コンポーネント１２０を含むことができる、高度なデータベースとすることができる。オフサイト集中データセンター１１０を、１つまたは複数のオフサイト集中データセンターとネットワーク化することができる。複数のオフサイト集中データセンターをネットワーク化することにより、追加のクライアント機能をリモートにホストするさらに高い能力を提供することができる。さらに、ネットワーク化されたオフサイト集中データセンターは、互いにネットワーク化されると、分散データベース機能のように機能することができる。オフサイト集中データセンター１１０は、クライアントコンピュータ上で実行中のプログラムが容易に見ることができるように、系統的な方法で、情報をローカルクライアント機能コンポーネント１２０に格納することができる。例えば、オフサイト集中データセンター１１０において実装されるローカルクライアント機能コンポーネント１２０は、例えば、その中に格納されるドメイン名、パスワード、電子メールアドレス、電子メールメッセージ、カレンダ、および連絡先などの情報を有することができる。ローカルクライアント機能コンポーネント１２０は、例えば、その中に格納されたワープロドキュメントまたはソフトウェアプログラムなどのさらなるデータを有することもできる。
【００１０】
ローカルクライアント機能コンポーネント１２０を含むオフサイト集中データセンター１１０は、例えば電子メールプログラムなどのクライアントのための業務用アプリケーションを補完することができる機能をリモートで構築する働きをすることができる。例えば、オフサイト集中データセンター１１０は、業務用アプリケーションによって使用され、クライアントが見る、ウイルス監視機能、スパムフィルタリング、および電子メールアーカイブなどの機能をリモートでホストすることができる。ローカルクライアント機能コンポーネント１２０に格納することができる、これらのリモートでホストされた機能を、クライアントではなく、オフサイト集中データセンター１１０によって管理することができる。オフサイト集中データセンター１１０でこれらの機能をリモートでホストすることにより、クライアントに対する不必要なトラヒックを減少させることもできる。例えば、ローカルクライアント機能コンポーネント１２０は、有効なユーザ情報を含むことができる。電子メールがオフサイト集中データセンター１１０によってリモートでフィルタリングされる場合、電子メールが無効なユーザ（例えば、ローカルクライアント機能コンポーネント１２０に格納されていないユーザ）に送信されると、オフサイト集中データセンター１１０は、電子メールをブロックすることができる。これは、この機能がリモートで行われ、電子メールをオフサイト集中データセンター１１０でフィルタリングすることができ、したがって、クライアントに対する不必要なトラフィックを避けることができるからである。
【００１１】
さらに、オフサイト集中データセンター１１０は、インスタントメッセージングアプリケーションの機能をリモートでホストすることができる。例えば、オフサイト集中データセンター１１０は、インスタントメッセージを介してクライアントに送信される添付ファイルに対するウイルス監視機能など、業務用インスタントメッセージングアプリケーションに付加価値を与える機能をホストすることができる。
【００１２】
オフサイト集中データセンター１１０は、例えば、ローカルクライアント機能コンポーネント１２０に、クライアントに関するグループ、受信者、および／またはドメインをリモートで格納することができる。例えば、ローカルクライアント機能コンポーネント１２０に格納されたこの情報を用いて、オフサイト集中データセンター１１０は、格納された情報に関してクライアントによって送信されるポリシーを実行することができる。例えば、クライアントが特定のドメインからの電子メールをブロックしたい場合、該クライアントは、このポリシーをオフサイト集中データセンター１１０に送信することができる。オフサイト集中データセンター１１０は、受信したポリシーを、ホストする、クライアントに関する情報に対してリモートで実行することができる。さらに、オフサイト集中データセンター１１０は、例えば、一定時間の間、電子メールを格納すること、または一定時間内の電子メールを削除することなど、クライアントが必要とするアーカイブポリシーを実行することができる。同様に、オフサイト集中データセンター１１０は、安全な送信者リストおよびチームリストなどの組織内の異なるチームに関して、クライアントによって生成される特別な構成を管理することができる。チームリストを管理すると、オフサイト集中データセンター１１０は、あるチームが、別のチームの電子メールまたはデータなどの情報にアクセスすることができないようにすることができる。したがって、オフサイト集中データセンター１１０は、クライアントが多数の解決法を展開してこの情報を統合する必要なしに、多数の情報をリモートでホストするゲートウェイとして働くことができる。
【００１３】
図１に示されるように、クライアント１４０は、ネットワーク１３０を介してオフサイト集中データセンター１１０と通信することができる。オフサイト集中データセンター１１０は、ローカルクライアント機能コンポーネント１２０が、例えば階層１５０を使用することによってクライアント１４０に対する影響を軽減しているクライアント１４０に対してローカルであるように見えるように、該ローカルクライアント機能コンポーネント１２０をリモートでホストすることができる。例えば、クライアント１４０は、クライアント１４０が見ることができるユーザインタフェース１５５を有するコンピュータを含むことができる。ユーザインタフェース１５５を実行するのは、ソフトウェアアプリケーション１６０であってもよい。ソフトウェアアプリケーション１６０は、オペレーティングシステム１６５を介して、クライアント１４０のコンピュータ上のローカルドライブ１７０、ならびにローカルクライアント機能コンポーネント１２０にアクセスすることができる。オペレーティングシステム１６５はアプリケーション１６０とやりとりをすることができるため、クライアント１４０が、ユーザインタフェース１５５を介して、例えばローカルクライアント機能コンポーネント１２０に格納された電子メールメッセージなどの情報を見ると、該情報はローカルドライブ１７０からのものであるように見える。さらに、オフサイト集中データセンター１１０が、検疫済みメールなどのアプリケーション１６０の機能をホストする場合、該機能は、アプリケーション１６０のユーザインタフェース１５５とやりとりをするとき、クライアント１４０にローカルであるように見えることがある。例えば、オフサイト集中データセンター１１０によってホストされる検疫済みメールフォルダは、アプリケーション１６０のユーザインタフェース１５５とやりとりをするとき、クライアント１４０に対してローカルなメールフォルダであるように見えるかもしれない。したがって、ローカルクライアント機能コンポーネント１２０に格納されたデータは、実際にはおそらく該データがオフサイト集中データセンター１１０によってリモートでホストされているとき、クライアント１４０に対してローカルなデータであるように見えることがある。
【００１４】
オフサイト集中データセンター１１０のローカル機能コンポーネント１２０に格納された情報または機能などのリソースにアクセスするクライアントについて、ユーザは、あるユーザ名とパスワードを必要とすることがある。アクセスするための、あるユーザ名とパスワードは両方とも、ローカル情報にアクセスするための別個のユーザ名とパスワード、および共有リソースにアクセスするための別個のオフサイト集中データセンターのユーザ名とパスワードを必要とする代替的なものにすることができる。
【００１５】
図２は、ローカルクライアント機能を提供するように構成されたサーバ２００の別の実施形態を示す。サーバ２００は、クライアントインタフェース２２５を含む。クライアントインタフェース２２５は、複製ローカルクライアント情報（ｒｅｐｌｉｃａｔｅｄ  ｌｏｃａｌ  ｃｌｉｅｎｔ  ｉｎｆｏｒｍａｔｉｏｎ））２６５をクライアント２４５から受信することができる。サーバ２００はさらに、クライアントインタフェース２２５と通信して複製ローカルクライアント情報２６５をリモートにホストすることができるように構成された、オフサイト集中データセンター２１０を含むことができる。オフサイト集中データセンター２１０は、複製ローカルクライアント情報２６５をクライアントインタフェース２２５から受信することができる。オフサイト集中データセンター２１０は、例えば、その中に格納されるローカルクライアント機能コンポーネント２２０を含むことが可能な、強化されたデータベースとすることができる。オフサイト集中データセンター２１０を、１つまたは複数のオフサイト集中データセンターとネットワーク化することができる。複数のオフサイト集中データセンターをネットワーク化することにより、さらなるクライアント機能をリモートでホストするさらに高い能力を提供することができる。さらに、ネットワーク化されたオフサイト集中データセンターは、一緒にネットワーク化されると、分散データベース機能のように働くことができる。オフサイト集中データセンター２１０は、複製ローカルクライアント情報２６５を、例えばクライアントの電子メールをフィルタリングするときに、クライアントが、またはクライアントの代わりに容易にアクセスすることができるような系統的な方法で、ローカルクライアント機能コンポーネント２２０内に格納することができる。複製ローカルクライアント情報２６５には、例えば、ドメイン名、パスワード、電子メールアドレス、電子メールメッセージ、カレンダ、および連絡が含まれることがある。複製ローカルクライアント情報２６５はまた、例えばワープロドキュメントまたはソフトウェアプログラムなどのさらなるデータを含むことができる。
【００１６】
図２はさらに、クライアント２４５を含む業務用ネットワーク２４０を示す。クライアント２４５は、例えばコンピュータのメモリドライブに格納されるローカルクライアント情報２５０のレポジトリを有することできる。ローカルクライアント情報２５０は、例えば、電子メール、ユーザ名、ドメイン名、パスワード、電子メールメッセージ、カレンダ、連絡先、ワープロドキュメントなどのデータ、および業務用アプリケーション機能さえも含むことができる。業務用ネットワーク２４０はさらに、業務用クライアントサーバ２５５を含む。業務用クライアントサーバ２５５は、クライアント複製コンポーネント２６０、およびサーバ複製コンポーネント２７０を含む。クライアント複製コンポーネント２６０は、例えばローカルクライアント情報２５０に対応するフライトデータ（ｆｌｉｇｈｔ  ｄａｔａ）に含むことができる、複製ローカルクライアント情報２６５を生成することができる。複製ローカルクライアント情報２６５は、クライアントインタフェース２２５によって受信され、オフサイト集中データセンター２１０によってホストされることがある。図２は、業務用ネットワーク２４０の例示的な実施形態を示す。当業者には理解されるように、クライアント２４５は、業務用クライアントサーバ２５５の機能を実行することができる複製ソフトウェアアプリケーションを有するコンピュータを含むことができる。さらに、当業者は、通信の動作において、業務用クライアントサーバ２５５の単一のインスタンスの機能を実行するように協働する、業務用クライアントサーバ２５５の多数のインスタンスが存在しうることを理解されよう。
【００１７】
ローカルクライアント情報２５０を、例えば、論理的な複製スキームまたは物理ベースの複製スキームを使用して、クライアント複製コンポーネント２６０によって複製することができる。論理的複製スキームは、ローカルクライアント情報２５０とやりとりをするクライアント複製コンポーネント２６０を含むことができ、したがって、ローカルクライアント情報２５０が電子メールメッセージを含む場合、論理的複製スキームは、メッセージを調べて新しいメッセージを複製し、オフサイト集中データセンター２１０にプッシュ（ｐｕｓｈ）することができる。あるいは、物理ベースの複製スキームは、ローカルクライアント情報２５０とやりとりをするクライアント複製コンポーネント２６０を含むことができ、したがって、ローカルクライアント情報２５０が電子メールメッセージを含む場合、物理ベースの複製スキームは、メッセージに対する変更を複製してオフサイト集中データセンター２１０にプッシュすることができる。
【００１８】
オフサイト集中データセンター２１０は、複製ローカルクライアント情報２６５のアーカイブを提供することができる。複製ローカルクライアント情報２６５が電子メールメッセージを含む場合、電子メールの流れ（ｆｌｏｗ）をリダイレクトすることによって、電子メールメッセージをオフサイト集中データセンター２１０においてアーカイブすることができる。例えば、電子メールメッセージは、オフサイト集中データセンター２１０にコピーされるブラインドカーボン（ｂｌｉｎｄ  ｃａｒｂｏｎ）とすることができる。また、クライアント２４５は、オフサイト集中データセンター２１０にメッセージをプッシュすることによって、そのインボックス内の電子メールメッセージにアクセスする許可をオフサイト集中データセンター２１０に与えることができる。この同様の技術を、カレンダ、連絡先、およびタスクなどの他の情報に使用することができる。したがって、クライアント２４５は、オフサイト集中データセンターに対してアクセスを許可することによって、複製ローカルクライアント情報２６５をオフサイト集中データセンター２１０にプッシュし、複製ローカルクライアント情報２６５をアーカイブすることができる。
【００１９】
クライアント複製コンポーネント２６０は、サーバ複製コンポーネント２７０と通信することができる。サーバ複製コンポーネント２７０は、複製ローカルクライアント情報２６５の同期に関して、クライアント複製コンポーネント２６０にフィードバックを提供することができる。例えば、サーバ複製コンポーネント２７０は、オフサイト集中データセンター２１０が複製ローカルクライアント情報２６５を受信したかどうかについてのフィードバックをクライアント複製コンポーネント２６０に提供することができる。
【００２０】
図２はさらに、クライアント２４５からオフサイト集中データセンター２１０へのローカルクライアント情報の流れの一例を示す。図２に図示されるように、業務用ネットワーク２４０は、ネットワーク２３０を介してオフサイト集中データセンター２１０と通信することができる。クライアント複製コンポーネント２６０は、ローカルクライアント情報２５０をクライアント２４５から集めて、そこから、複製ローカルクライアント情報２６５を生成することができる。複製ローカルクライアント情報２６５は、ネットワーク２３０を介してクライアントインタフェース２２５にプッシュすることができる。オフサイト集中データセンター２１０と通信するクライアントインタフェース２２５は、複製ローカルクライアント情報２６５をオフサイト集中データセンター２１０に送信することができ、オフサイト集中データセンター２１０において、複製ローカルクライアント情報２６５がローカルクライアント機能コンポーネントに格納される。オフサイト集中データセンター２１０は、オフサイト集中データセンターにおける複製ローカルクライアント情報２６５の同期状態についてのフィードバックを、ネットワーク２３０を介してサーバ複製コンポーネント２７０に提供することができる。上述したサーバ複製コンポーネント２７０は、この受信したフィードバック情報をクライアント複製コンポーネント２６０に送ることができる。
【００２１】
上述し、図２の情報の流れで示したように、複製ローカルクライアント情報２６５は、オフサイト集中データセンター２１０にプッシュされる。情報をオフサイト集中データセンター２１０にプッシュすることによって、業務用ネットワーク２４０がよりセキュアになりうる。例えば、業務用ネットワーク２４０が複製ローカルクライアント情報２６５をオフサイト集中データセンター２１０にプッシュする場合、業務用ネットワーク２４０は、ネットワーク２３０への接続をオープンする必要はないことがある。したがって、複製ローカルクライアント情報２６５だけが、業務用ネットワーク２４０の情報の代わりにネットワーク２３０を介して送られることがある。さらに、例えば、セキュリティをさらに高めるために、ネットワーク２３０への業務用ネットワーク２４０のアウトバンド接続に、ファイアウォールを存在させてもよい。
【００２２】
図３は、一実施形態にしたがって、ローカルクライアント機能のリモートでの提供を説明するフローチャートを示す。図３に示されるように、３００で、例えば、電子メール、ドメイン名、パスワード、電子メールアドレス、電子メールメッセージ、カレンダ、連絡先、およびドキュメントを含むローカルクライアント情報を、クライアントから収集することができる。
【００２３】
３１０で、クライアントサーバは、ローカルクライアント情報を複製することができる。ローカルクライアント情報を、例えば、電子メールメッセージ全体が複製されるような論理的複製スキームを使用して複製することができる。あるいは、ローカルクライアント情報を、例えば、電子メールメッセージに対する変更が複製される物理ベースの複製スキームを使用して複製することができる。
【００２４】
３２０で、オフサイト集中データセンターは、複製ローカルクライアント情報を受信することができる。オフサイト集中データセンターは、複製ローカルクライアント情報を直接受信することができる。あるいは、サーバが、オフサイト集中データセンターと通信するクライアントインタフェースを含むことによって、該クライアントインタフェースが、複製ローカルクライアント情報をクライアントから受信し、オフサイト集中データセンターが、複製ローカルクライアント情報を該クライアントインタフェースから受信することもできる。
【００２５】
３３０で、オフサイト集中データセンターは、複製ローカルクライアント情報をホストすることができる。一実施形態において、オフサイト集中データセンターは、クライアントのホストされた複製ローカルクライアント情報をアーカイブすることができる。さらに、クライアントは、オフサイト集中データセンターによってホストされる複製ローカルクライアント情報にアクセスすることができる。アクセスされた複製ローカルクライアント情報は、クライアントにローカルであるように見える。例えば、クライアントは、アクセスされた複製ローカルクライアント情報が、オフサイト集中データセンターではなくローカルドライブにあると思うことがある。
【００２６】
図４は、第１のクライアント４４０および第２のクライアント４５０と通信するオフサイト集中データセンター４１０を示す。図４に示されるように、オフサイト集中データセンター４１０を含むサーバ４００は、ネットワーク４３０と通信することができる。オフサイト集中データセンター４１０は、第１のクライアント４４０のローカルクライアント機能コンポーネント４２０に格納される情報をリモートでホストすることができる。第１のクライアント４４０は、ネットワーク４３０と通信して、ホストされた情報にアクセスすることもできる。第１のクライアント４４０は、ネットワーク４３０を介してオフサイト集中データセンター４１０と第１の関係を構築することができる。第１の関係は、例えば、共通の産業（ｃｏｍｍｏｎ  ｉｎｄｕｓｔｒｙ）、共通のビジネス手法（ｃｏｍｍｏｎ  ｂｕｓｉｎｅｓｓ  ｐｒａｃｔｉｃｅｓ）、および／または共通のセキュリティ認可（をｃｏｍｍｏｎ  ｓｅｃｕｒｉｔｙ  ａｕｔｈｏｒｉｚａｔｉｏｎ）を含むことができる。第１の関係を、例えば、特定のユーザ名およびパスワードによって認証することができる。あるいは、第１の関係を、例えばオフサイト集中データセンター４１０によって管理されうる公開鍵および秘密鍵のコードなどのセキュリティ証明書によって認証することができる。
【００２７】
オフサイト集中データセンター４１０から追加のクライアントに情報を仲介する（ｂｒｏｋｅｒ）ために、第２のクライアント４５０もネットワーク４３０と通信することができる。第２のクライアント４５０は、オフサイト集中データセンター４１０と第２の関係を構築することができる。第２の関係は、例えば、共通の産業、共通のビジネス手法、および／または共通のセキュリティ認可を含むことができる。第２の関係を、例えば、特定のユーザ名およびパスワードによって認証することができる。あるいは、第２の関係を、例えばオフサイト集中データセンター４１０によって管理される公開鍵および秘密鍵のコードなどのセキュリティ証明書によって認証することができる。
【００２８】
オフサイト集中データセンター４１０は、第１のクライアント４４０によって構築された第１の関係を、第２のクライアント４５０によって構築された第２の関係と比較することができる。第１のクライアント４４０によって構築されたオフサイト集中データセンター４１０との第１の関係が、第２のクライアント４５０によって構築されたオフサイト集中データセンター４１０との第２の関係に対応する場合、オフサイト集中データセンター４１０は、該オフサイト集中データセンター４１０に置かれたリソースまたは情報を仲介するかまたは共有することができる。オフサイト集中データセンター４１０を介して第１のクライアントが第２のクライアント４５０と情報を共有できるようにすることによって、共通のセキュリティスレッドを、共有されたリソースまたは情報がよりセキュアになるオフサイト集中データセンター４１０で実装することができる。さらに、情報をオフサイト集中データセンター４１０で共有できるようにすることによって、第１のクライアント４４０は、第１のクライアント４４０が第２のクライアント４５０と共有することを望まない情報に対する、第２のクライアント４５０によるセキュリティブリーチを減少させることができる。例えば、第１のクライアント４４０が、共有したい情報をオフサイト集中データセンター４１０にプッシュする場合に、第２のクライアント４５０は、第１のクライアント４４０によってローカルに格納される追加の情報の代わりに、プッシュされた情報にオフサイト集中データセンター４１０においてアクセスすることができる。
【００２９】
さらに、第１のクライアント４４０によって構築された第１の関係が、第２のクライアント４５０によって構築された第２の関係に対応する場合、オフサイト集中データセンター４１０は、テンプレートを生成し、対応関係に基づいて、オフサイト集中データセンター４１０でホストされる情報を処理することができる。例えば、第１のクライアント４４０は、法律事務所としてオフサイト集中データセンター４１０と第１の関係を構築することができる。同様に、第２のクライアント４５０は、法律事務所としてオフサイト集中データセンター４１０と第２の関係を構築することができる。第１の関係と第２の関係とが一致するため、オフサイト集中データセンター４１０は、この共通性に基づいてテンプレートを生成することができる。テンプレートを使用して、第１のクライアント４４０および第２のクライアント４５０に対してホストされる情報を同様の手法で処理することができる。例えば、共通のテンプレートは、第１のクライアント４４０および第２のクライアント４５０の両方を管理することができる法的なドキュメント開示法（ｌｅｇａｌ  ｄｏｃｕｍｅｎｔ  ｄｉｓｃｏｖｅｒｙ  ｌａｗｓ）に基づいて、同様の手法で、オフサイト集中データセンター４１０にプッシュされた電子メールをアーカイブすることができる。
【００３０】
図４は、２つのクライアント間の仲介を示すものであり、例えば、追加のクライアントがデータセンターと関係を構築して、オフサイト集中データセンター４１０で格納されるリソースが、この追加のクライアントにも仲介されることに限定されるものではない。
【００３１】
図５は、一実施形態による集中データセンターを介して多数のクライアントを仲介する流れを示すフローチャートである。図５に示されるように、５００で、オフサイト集中データセンターは、第１のクライアントと第１の関係を構築することができる。第１の関係は、例えば、共通の産業、共通のビジネス手法、および／または共通のセキュリティ認可を含むことができる。第１の関係は、例えば、特定のユーザ名およびパスワードによって認証されてもよい。あるいは、第１の関係は、例えば、公開鍵および秘密鍵のコードなどのセキュリティ証明書によって認証されてもよい。当業者には、第１のクライアントがオフサイト集中データセンターとの関係も構築することができるということが認識されよう。
【００３２】
同様に、５１０で、オフサイト集中データセンターは、第２のクライアントと第２の関係を構築することができる。第２の関係は、例えば、共通の産業、共通のビジネス手法、および共通のセキュリティ認可を含むことができる。第２の関係は、例えば、特定のユーザ名およびパスワードによって認証されてもよい。あるいは、第２の関係は、例えば公開鍵および秘密鍵のコードなどのセキュリティ証明書よって認証されてもよい。当業者には、第２のクライアントがオフサイト集中データセンターと関係を構築することが認識されよう。
【００３３】
５２０で、データセンターは、５００で第１のクライアントによって構築された第１の関係が、５１０で第２のクライアントによって構築された第２の関係と対応するかどうかを判断することができる。例えば、第１のクライアントと第２のクライアントは、産業が共通するもの、またはセキュリティ認可が共通するものとすることができる。例えば、セキュリティ証明書が一致しないなど、第１の関係と第２の関係とが対応しない場合、仲介するステップは終了する。
【００３４】
５２０で、第１の関係と第２の関係とが対応する場合、次に５３０で、オフサイト集中データセンターは、第１のクライアントと第２のクライアントとの間でローカルクライアント情報をリモートで共有する。複製ローカルクライアント情報は、例えば、電子メール、ドメイン名、パスワード、電子メールアドレス、電子メールメッセージ、カレンダ、連絡先、およびドキュメントを含むことができる。５３０における共有とは、例えばミーティングのために、情報を、第１のクライアントと第２のクライアントとの両方にアクセス可能にすることを含むことができる。５３０における共有とは、例えば、電子メールの廃棄に関するポリシーを共有することなど、ネットワーク戦略を共有することを含むこともできる。
【００３５】
図６は、例示的な実施形態の態様を実装することができる例示的なコンピューティング環境を示す。コンピューティングシステム環境６００は、適切なコンピューティング環境の一例にすぎず、説明される例示的実施形態の使用または機能の範囲に関していかなる限定を提案することも目的としていない。コンピューティング環境６００は、例示的なコンピューティング環境６００において示されるコンポーネントのうちのいずれか１つ、または組み合わせに関するいかなる依存関係または必要条件を有すると解釈されてはならない。
【００３６】
例示的な実施形態は、多くの他の汎用または専用のコンピューティングシステム環境においても動作可能である。例示的実施形態での使用に適切な周知のコンピューティングシステム、環境、および／または構成には、パソコン、サーバコンピュータ、ハンドヘルドデバイスもしくはラップトップデバイス、マルチプロセッサシステム、マイクロプロセッサベースシステム、セットトップボックス、プログラム可能な家庭用電化製品、ネットワークＰＣ、ミニコンピュータ、メインフレームコンピュータ、組み込みシステム、または上記のシステムもしくはデバイスうちのいずれかを含む分散コンピューティング環境などが含まれるが、これらに限定されるものではない。
【００３７】
例示的な実施形態を、コンピュータによって実行される、プログラムモジュールなどのコンピュータ実行可能命令の一般的なコンテキスト記述することができる。一般に、プログラムモジュールは、特定のタスクを実行するかまたは特定の抽象データ型を実行する、ルーチン、プログラム、オブジェクト、コンポーネント、データ構造などを含む。例示的な実施形態は、通信ネットワークまたは他のデータ伝送媒体を介してリンクされるリモート処理デバイスによってタスクが実行される、分散コンピューティング環境において実施されてもよい。分散コンピューティング環境では、プログラムモジュールおよび他のデータを、メモリストレージデバイスを含むローカルおよびリモートのコンピュータ記憶媒体の両方に配置することができる。
【００３８】
図６を参照すると、例示的な実施形態を実装する例示的なシステムは、コンピュータ６１０の形式の汎用コンピューティングデバイスを含む。コンピュータ６１０のコンポーネントは、処理ユニット６２０、システムメモリ６３０、およびシステムメモリを含む様々なシステムコンポーネントを処理ユニット６２０に連結するシステムバス６２１を含むことができるが、これらに限定されるものではない。処理ユニット６２０は、マルチスレッドプロセッサにおいてサポートされる論理処理ユニットなどの多数の論理処理ユニットを表すことができる。システムバス６２１は、様々なバスアーキテクチャのいずれかを用い、メモリバスまたはメモリコントローラ、周辺バス、およびローカルバスを含む数種類のバス構造うちのいずれかであってもよい。限定ではなく例として、そのようなアーキテクチャは、ＩＳＡバス、ＭＣＡバス、ＥＩＳＡバス、ＶＥＳＡローカルバス、および（メザニンバスとしても知られている）ＰＣＩバスを含む。システムバス６２１はまた、通信デバイスの間のポイントツーポイント接続、スイッチングファブリックなどとして実装されてもよい。
【００３９】
コンピュータ６１０は典型的に、様々なコンピュータ読み取り可能媒体を含む。コンピュータ読み取り可能媒体は、コンピュータ６６０によってアクセスされ得る任意の利用可能媒体であってもよく、揮発性媒体および不揮発性媒体、取り外し可能媒体および取り外し不能媒体の両方を含む。限定ではなく例として、コンピュータ読み取り可能媒体は、コンピュータ記憶媒体および通信媒体を含むことができる。コンピュータ記憶媒体は、例えばコンピュータ読み取り可能命令、データ構造、プログラムモジュール、または他のデータなど、情報を記憶するための任意の方法または技術で実装される揮発性および不揮発性、取り外し可能および取り外し不能の媒体を含む。コンピュータ記憶媒体は、ＲＡＭ、ＲＯＭ、ＥＥＰＲＯＭ、フラッシュメモリもしくは他のメモリ技術、ＣＤＲＯＭ、デジタル多用途ディスク（ＤＶＤ）もしくは他の光ディスク記憶装置、磁気カセット、磁気テープ、磁気ディスク記憶装置もしくは他の磁気記憶装置、または所望の情報を格納するために用いられコンピュータ６１０によってアクセスされる他の媒体を含むが、これらには限定されない。通信媒体は典型的に、搬送波または他の搬送メカニズムなどの変調たデータ信号内のコンピュータ読み取り可能命令、データ構造、プログラムモジュール、または他のデータを具体化し、任意の情報配信媒体を含む。用語「変調データ信号」は、信号内の情報をコード化するような方法で設定または変更された特徴の１つまたは複数を有する信号を意味する。限定ではなく例として、通信媒体は、有線ネットワークまたは直接配線接続などの有線媒体、ならびに、音響、ＲＦ、赤外線および他の無線媒体などの無線媒体を含む。上記のうちの任意の組合せも、コンピュータ読み取り可能媒体の範囲内に含まれるべきである。
【００４０】
システムメモリ６３０は、リードオンリメモリ（ＲＯＭ）６３１およびランダムアクセスメモリ（ＲＡＭ）６３２などの揮発性メモリおよび／または不揮発性メモリの形式のコンピュータ記憶媒体を含む。スタートアップの間などに、例えばコンピュータ６１０内の要素間で情報を転送するのを助ける基本的ルーチンを含む基本入出力システム６３３（ＢＩＯＳ）は、典型的にＲＯＭ６３１に格納される。ＲＡＭ６３２は典型的に、処理ユニット６２０によって即時にアクセス可能であるか、または処理ユニット６２によって動作中であるデータおよび／またはプログラムモジュールを含む。限定ではなく例として、図６は、オペレーティングシステム６３４、アプリケーションプログラム６３５、他のプログラムモジュール６３６、およびプログラムデータ６３７を示す。
【００４１】
コンピュータ６１０はまた、他の取り外し可能／取り外し不能、揮発性／不揮発性のコンピュータ記憶媒体を含むことができる。単に例として、図６は、取り外し不能不揮発性磁気媒体との間で読み書きをするハードディスクドライブ６４０、取り外し可能不揮発性磁気ディスク６５２との間で読み書きをする磁気ディスクドライブ６５１、および、ＣＤ  ＲＯＭまたは他の光媒体などの取り外し可能不揮発性光ディスク６５６との間で読み書きをする光ディスクドライブ６５５を示す。例示的な動作環境において使用可能な他の取り外し可能／取り外し不能、揮発性／不揮発性のコンピュータ記憶媒体には、磁気テープカセット、フラッシュメモリカード、デジタル多用途ディスク、デジタルビデオテープ、ソリッドステートＲＡＭ、ソリッドステートＲＯＭなどが含まれるが、これらには限定されない。ハードディスクドライブ６４１は典型的に、インタフェース６４０などの取り外し不能メモリインタフェースを介してシステムバス６２１に接続され、磁気ディスクドライブ６５１および光ディスクドライブ６５５は典型的に、インタフェース６５０などの取り外し可能メモリインタフェースによってシステムバス６２１に接続される。
【００４２】
上述され、図６に示されたドライブおよびドライブに関連するコンピュータ記憶媒体は、コンピュータ６１０に対してコンピュータ読み取り可能命令、データ構造、プログラムモジュール、および他のデータを提供する。図６において、例えば、ハードディスクドライブ６４１は、オペレーティングシステム６４４、アプリケーションプログラム６４５、他のプログラムモジュール６４６、およびプログラムデータ６４７を格納するように示されている。これらのコンポーネントは、オペレーティングシステム６３４、アプリケーションプログラム６３５、他のプログラムモジュール６３６、およびプログラムデータ６３７と同じであっても、異なっていてもよいことに留意されたい。オペレーティングシステム６４４、アプリケーションプログラム６４５、他のプログラムモジュール６４６、およびプログラムデータ６４７は、少なくともそれらが異なるコピーであるということを示すために本明細書で異なる番号を与えられている。ユーザは、一般にキーボード６６２およびマウス、トラックボールまたはタッチパッドと称されるポインティングデバイス６６１などの入力デバイスを介してコンピュータ６１０にコマンドおよび情報を入力することができる。他の入力装置（図示せず）は、マイクロホン、ジョイスティック、ゲームパッド、衛星放送受信アンテナ、スキャナ等を含むことができる。これらの入力デバイスおよび他の入力デバイスは、多くの場合システムバスに連結されたユーザ入力インタフェース６６０を介して処理ユニット６２０に接続されているが、パラレルポート、ゲームポートまたはユニバーサルシリアルバス(ＵＳＢ)などの他のインタフェースおよびバス構造で接続されていてもよい。モニタ６９１または他の種類のディスプレイデバイスも、ビデオインタフェース６９０などのインタフェースを介してシステムバス６２１に接続される。モニタに加えて、コンピュータは、スピーカ６９７およびプリンタ６９６などの他の周辺出力デバイスを含むこともできる。周辺出力デバイスは、出力周辺インタフェース６９５を介して接続されていてもよい。
【００４３】
コンピュータ６１０は、リモートコンピュータ６８０などの１つまたは複数のリモートコンピュータへの論理的接続を用いてネットワーク化された環境において動作することができる。リモートコンピュータ６８０は、パーソナルコンピュータ、サーバ、ルータ、ネットワークＰＣ、ピアデバイス、または他の共通ネットワークノードとすることができ、典型的にはコンピュータ６１０と関連して上述した要素の多数または全てを含むが、メモリストレージデバイス６８１のみを図６に図示している。図６に示した論理接続は、ローカルエリアネットワーク(ＬＡＮ)６７１およびワイドエリアネットワーク（ＷＡＮ）６７３を含むが、他のネットワークも含むことができる。このようなネットワーク環境は、オフィス、企業規模のコンピュータネットワーク、イントラネット、およびインターネットにおいて一般的なことである。
【００４４】
ＬＡＮネットワーク環境で使用されるとき、コンピュータ６１０は、ネットワークインタフェースまたはアダプタ６７０を介してＬＡＮ６７１に接続される。ＷＡＮネットワーク環境で使用されるとき、コンピュータ６１０は典型的に、モデム６７２またはインターネットなどのＷＡＮ６７３を介して通信を確立するための他の手段を含む。内蔵または外付けとすることができるモデム６７２は、ユーザ入力インタフェース６６０または他の適当なメカニズムを介してシステムバス６２１に接続され得る。ネットワーク化された環境において、コンピュータ６１０またはその一部と関連して示されるプログラムモジュールは、リモートのメモリストレージデバイスに格納されてもよい。限定ではなく例として、図６は、メモリデバイス６８１に存在するようなリモートアプリケーションプログラム６８５を示す。示されたネットワーク接続は例示的であって、コンピュータ同士の間の通信リンクを構築する他の手段を使用することができることが理解されよう。
【００４５】
コンピューティング環境６００は典型的に、少なくとも、何らかの形式のコンピュータ読み取り可能媒体を含む。コンピュータ読み取り可能媒体は、コンピューティング環境６００によってアクセスされうる任意の利用可能な媒体とすることができる。限定ではなく例として、コンピュータ読み取り可能媒体は、コンピュータ記憶媒体および通信媒体を含むことができる。コンピュータ記憶媒体は、例えばコンピュータ読み出し可能命令、データ構造、プログラムモジュールまたは他のデータなどの情報を格納するための任意の方法または技術で実装される揮発性および不揮発性、取り外し可能および取り外し不能の媒体を含む。コンピュータ記憶媒体は、ＲＡＭ、ＲＯＭ、ＥＥＰＲＯＭ、フラッシュメモリもしくは他のメモリ技術、ＣＤ−ＲＯＭ、デジタル多用途ディスク（ＤＶＤ）もしくは他の光記憶装置、磁気カセット、磁気テープ、磁気ディスク記憶装置または他の磁気記憶デバイス、または、所望の情報を格納するために用いることができてコンピューティング環境６００がアクセスできる他の媒体を含むが、これらに限定されるものではない。通信媒体は典型的に、搬送波または他の搬送メカニズムなどの変調データ信号内のコンピュータ読み取り可能命令、データ構造、プログラムモジュール、または他のデータを具体化し、任意の情報配信媒体を含む。用語「変調データ信号」は、信号内で情報をコード化するような方法で設定または変更される特徴の１つまたは複数を有する信号を意味する。限定ではなく例として、通信媒体は、有線ネットワークまたは直接配線接続のような有線媒体、ならびに音響、ＲＦ、赤外線および他の無線媒体などの無線媒体を含む。上記のうちの任意の組合せも、コンピュータ読み取り可能媒体の範囲内に含まれるべきである。本発明を、構造的特徴および／または方法論的アクトに特有の言語で説明してきたが、添付の特許請求の範囲で定義される本発明は、上記の特定の特徴またはアクトに必ずしも限定されるものではないということを理解されたい。むしろ、上記の特定の特徴および動クトは、特許請求の範囲を実行する例示的な形式として開示されている。
【図１】
2010512574.tif 000003
【図２】
2010512574.tif 000004
【図３】
2010512574.tif 000005
【図４】
2010512574.tif 000006
【図５】
2010512574.tif 000007
【図６】
2010512574.tif 000008
【国際調査報告】
2010512574.tif 000009
2010512574.tif 000010